【手続補正書】
【提出日】平成21年10月19日(2009.10.19)
【手続補正１】
【補正対象書類名】特許請求の範囲
【補正対象項目名】全文
【補正方法】変更
【補正の内容】
【特許請求の範囲】
【請求項１】
回転する回転多面鏡に第一発光素子からのレーザビームを入射するとともに、前記回転多面鏡における前記第一発光素子からのレーザビームが入射されている面から前記回転の方向とは逆の方向にｎ（ｎは前記回転多面鏡の面数よりも小さい自然数）面飛んだ面に第二発光素子からのレーザビームを入射し、前記回転多面鏡による前記第一発光素子及び前記第二発光素子からの夫々のレーザビームの走査により、前記第一発光素子及び第二発光素子の夫々に対応する像担持体に静電潜像を形成させ、前記各像担持体に夫々形成された静電潜像に基づき画像形成を行う画像形成装置であって、
前記回転多面鏡により走査される前記第一発光素子からのレーザビームを検出する検出手段と、
前記検出手段による検出に基づくタイミングで、前記像担持体に主走査方向の静電潜像を形成させるべく、前記第一発光素子からのレーザビームの照射を行わせる制御手段とを有し、
前記制御手段は、前記第二発光素子からのレーザビームの走査により前記像担持体に主走査方向の静電潜像を形成させる為の、前記第二発光素子のレーザビームの照射タイミングを調整する調整手段を含み、
前記回転多面鏡における面のうちの基準面からｍ面（ｍは回転多面鏡の面数より小さい自然数）進んだ面に前記第一発光素子からのレーザビームを入射するとともに、前記第二発光素子からのレーザビームを前記基準面から（ｎ＋ｍ）面進んだ面へ入射する場合において、
前記調整手段は、
前記基準面により走査される前記第一発光素子からのレーザビームを検出してから、前記基準面からｍ面進んだ面により走査される前記第一発光素子からのレーザビームを検出するまでの間隔と、
前記基準面からｎ面進んだ面により走査される前記第一発光素子からのレーザビームを検出してから、前記基準面から（ｎ＋ｍ）面進んだ面により走査される前記第一発光素子からのレーザビームが検出されるまでの間隔と、の差分に相当する時間の遅延を、前記検出手段による前記第一発光素子からのレーザビーム検出タイミングを基準に発生させ、前記基準面から前記（ｎ＋ｍ）面進んだ面へ入射する前記第二発光素子のレーザビームの照射タイミングを調整することを特徴とする画像形成装置。
【請求項２】
回転する回転多面鏡に第一発光素子からのレーザビームを入射するとともに、前記回転多面鏡における前記第一発光素子からのレーザビームが入射されている面から前記回転の方向とは逆の方向にｎ（ｎは前記回転多面鏡の面数よりも小さい自然数）面飛んだ面に第二発光素子からのレーザビームを入射し、前記回転多面鏡による前記第一発光素子及び前記第二発光素子からの夫々のレーザビームの走査により、前記第一発光素子及び第二発光素子の夫々に対応する像担持体に静電潜像を形成させ、前記各像担持体に夫々形成された静電潜像に基づき画像形成を行う画像形成装置であって、
前記回転多面鏡により走査される前記第一発光素子からのレーザビームを検出する検出手段と、
前記検出手段による検出に基づくタイミングで、前記像担持体に主走査方向の静電潜像を形成させるべく、前記第一発光素子からのレーザビームの照射を行わせる制御手段とを有し、
前記制御手段は、前記第二発光素子からのレーザビームの走査により前記像担持体に主走査方向の静電潜像を形成させる為の、前記第二発光素子のレーザビームの照射タイミングを、前記検出手段によりレーザビームの検出がなされたタイミングと遅延とに基づき調整する調整手段を含み、
前記回転多面鏡における面のうちの基準面からｍ面（ｍは回転多面鏡の面数より小さい自然数）進んだ面に前記第一発光素子からのレーザビームを入射するとともに、前記第二発光素子からのレーザビームを前記基準面から（ｎ＋ｍ）面進んだ面へ入射する場合において、
前記調整手段は、
前記基準面により走査される前記第一発光素子からのレーザビームを検出してから、前記基準面からｍ面進んだ面により走査される前記第一発光素子からのレーザビームを検出するまでの間隔と、
前記基準面からｎ面進んだ面により走査される前記第一発光素子からのレーザビームを検出してから、前記基準面から（ｎ＋ｍ）面進んだ面により走査される前記第一発光素子からのレーザビームが検出されるまでの間隔と、の差分に相当する時間を前記遅延に反映させることを特徴とする画像形成装置。
【請求項３】
前記調整手段は、前記第一発光素子からのレーザビームが入射されている前記回転多面鏡の面に応じて、前記差分を前記遅延に反映させる為の補正情報を選択し、該選択された補正情報に基づき、前記基準面から前記（ｎ＋ｍ）面進んだ面へ入射する前記第二発光素子のレーザビームの照射タイミングを調整することを特徴とする請求項１又は２に記載の画像形成装置。
【請求項４】
前記回転多面鏡により走査される前記第一発光素子からのレーザビームが入射される面と該入射に並行して前記回転多面鏡により走査される前記第二発光素子からのレーザビームが入射されている面とにおいて、前記検出手段による検出間隔が最短となる場合の、前記第一発光素子からのレーザビームが入射される面が、前記基準面であることを特徴とする請求項１乃至３の何れか１項に記載の画像形成装置。
【請求項５】
回転する回転多面鏡に第一発光素子からのレーザビームを入射するとともに、前記回転多面鏡における前記第一発光素子からのレーザビームが入射されている面から前記回転の方向とは逆の方向にｎ（ｎは前記回転多面鏡の面数よりも小さい自然数）面飛んだ面に第二発光素子からのレーザビームを入射し、前記回転多面鏡による前記第一発光素子及び前記第二発光素子からの夫々のレーザビームの走査により、前記第一発光素子及び第二発光素子の夫々に対応する像担持体に静電潜像を形成させ、前記各像担持体に夫々形成された静電潜像に基づき画像形成を行う画像形成装置であって、
前記回転多面鏡により走査される前記第一発光素子からのレーザビームを検出する検出手段と、
前記検出手段による検出に基づくタイミングで、前記像担持体に主走査方向の静電潜像を形成させるべく、前記第一発光素子からのレーザビームの照射を行わせる制御手段とを有し、
前記制御手段は、前記第二発光素子からのレーザビームの走査により前記像担持体に主走査方向の静電潜像を形成させる為の、前記第二発光素子のレーザビームの照射タイミングを、前記検出手段によりレーザビームの検出がなされたタイミングと遅延とに基づき調整する調整手段を含み、
前記調整手段は、前記第一発光素子からのレーザビームが入射されている前記回転多面鏡の面がどの面かに応じて、前記遅延を発生させる為の補正情報を選択し、該選択された補正情報に基づき、前記回転の方向とは逆の方向にｎ面飛んだ面に対しての前記第二発光素子のレーザビームの照射タイミングを調整することを特徴とする画像形成装置。
【請求項６】
１の前記回転多面鏡に対して、４つの前記像担持体を有することを特徴とする請求項１乃至５の何れか１項に記載の画像形成装置。
【請求項７】
２の前記回転多面鏡に対して、４つの前記像担持体を有することを特徴とする請求項１乃至５の何れか１項に記載の画像形成装置。
【請求項８】
前記検出手段は、ブラックのトナー像を形成するためのレーザビームに対応して設けられていることを特徴とする請求項１乃至６の何れか１項に記載の画像形成装置。
【請求項９】
前記ｎは１又は２であることを特徴とする請求項１乃至８の何れか１項に記載の画像形成装置。
【手続補正２】
【補正対象書類名】明細書
【補正対象項目名】００２０
【補正方法】変更
【補正の内容】
【００２０】
上記目的を達成する本発明における画像形成装置は、回転する回転多面鏡に第一発光素子からのレーザビームを入射するとともに、前記回転多面鏡における前記第一発光素子からのレーザビームが入射されている面から前記回転の方向とは逆の方向にｎ（ｎは前記回転多面鏡の面数よりも小さい自然数）面飛んだ面に第二発光素子からのレーザビームを入射し、前記回転多面鏡による前記第一発光素子及び前記第二発光素子からの夫々のレーザビームの走査により、前記第一発光素子及び第二発光素子の夫々に対応する像担持体に静電潜像を形成させ、前記各像担持体に夫々形成された静電潜像に基づき画像形成を行う画像形成装置であって、前記回転多面鏡により走査される前記第一発光素子からのレーザビームを検出する検出手段と、前記検出手段による検出に基づくタイミングで、前記像担持体に主走査方向の静電潜像を形成させるべく、前記第一発光素子からのレーザビームの照射を行わせる制御手段とを有し、前記制御手段は、前記第二発光素子からのレーザビームの走査により前記像担持体に主走査方向の静電潜像を形成させる為の、前記第二発光素子のレーザビームの照射タイミングを調整する調整手段を含み、前記回転多面鏡における面のうちの基準面からｍ面（ｍは回転多面鏡の面数より小さい自然数）進んだ面に前記第一発光素子からのレーザビームを入射するとともに、前記第二発光素子からのレーザビームを前記基準面から（ｎ＋ｍ）面進んだ面へ入射する場合において、前記調整手段は、前記基準面により走査される前記第一発光素子からのレーザビームを検出してから、前記基準面からｍ面進んだ面により走査される前記第一発光素子からのレーザビームを検出するまでの間隔と、前記基準面からｎ面進んだ面により走査される前記第一発光素子からのレーザビームを検出してから、前記基準面から（ｎ＋ｍ）面進んだ面により走査される前記第一発光素子からのレーザビームが検出されるまでの間隔と、の差分に相当する時間の遅延を、前記検出手段による前記第一発光素子からのレーザビーム検出タイミングを基準に発生させ、前記基準面から前記（ｎ＋ｍ）面進んだ面へ入射する前記第二発光素子のレーザビームの照射タイミングを調整することを特徴とする。
或いは、上記目的を達成する本発明における画像形成装置は、回転する回転多面鏡に第一発光素子からのレーザビームを入射するとともに、前記回転多面鏡における前記第一発光素子からのレーザビームが入射されている面から前記回転の方向とは逆の方向にｎ（ｎは前記回転多面鏡の面数よりも小さい自然数）面飛んだ面に第二発光素子からのレーザビームを入射し、前記回転多面鏡による前記第一発光素子及び前記第二発光素子からの夫々のレーザビームの走査により、前記第一発光素子及び第二発光素子の夫々に対応する像担持体に静電潜像を形成させ、前記各像担持体に夫々形成された静電潜像に基づき画像形成を行う画像形成装置であって、前記回転多面鏡により走査される前記第一発光素子からのレーザビームを検出する検出手段と、前記検出手段による検出に基づくタイミングで、前記像担持体に主走査方向の静電潜像を形成させるべく、前記第一発光素子からのレーザビームの照射を行わせる制御手段とを有し、前記制御手段は、前記第二発光素子からのレーザビームの走査により前記像担持体に主走査方向の静電潜像を形成させる為の、前記第二発光素子のレーザビームの照射タイミングを、前記検出手段によりレーザビームの検出がなされたタイミングと遅延とに基づき調整する調整手段を含み、前記回転多面鏡における面のうちの基準面からｍ面（ｍは回転多面鏡の面数より小さい自然数）進んだ面に前記第一発光素子からのレーザビームを入射するとともに、前記第二発光素子からのレーザビームを前記基準面から（ｎ＋ｍ）面進んだ面へ入射する場合において、前記調整手段は、前記基準面により走査される前記第一発光素子からのレーザビームを検出してから、前記基準面からｍ面進んだ面により走査される前記第一発光素子からのレーザビームを検出するまでの間隔と、前記基準面からｎ面進んだ面により走査される前記第一発光素子からのレーザビームを検出してから、前記基準面から（ｎ＋ｍ）面進んだ面により走査される前記第一発光素子からのレーザビームが検出されるまでの間隔と、の差分に相当する時間を前記遅延に反映させることを特徴とする。
或いは、上記目的を達成する本発明における画像形成装置は、回転する回転多面鏡に第一発光素子からのレーザビームを入射するとともに、前記回転多面鏡における前記第一発光素子からのレーザビームが入射されている面から前記回転の方向とは逆の方向にｎ（ｎは前記回転多面鏡の面数よりも小さい自然数）面飛んだ面に第二発光素子からのレーザビームを入射し、前記回転多面鏡による前記第一発光素子及び前記第二発光素子からの夫々のレーザビームの走査により、前記第一発光素子及び第二発光素子の夫々に対応する像担持体に静電潜像を形成させ、前記各像担持体に夫々形成された静電潜像に基づき画像形成を行う画像形成装置であって、前記回転多面鏡により走査される前記第一発光素子からのレーザビームを検出する検出手段と、前記検出手段による検出に基づくタイミングで、前記像担持体に主走査方向の静電潜像を形成させるべく、前記第一発光素子からのレーザビームの照射を行わせる制御手段とを有し、前記制御手段は、前記第二発光素子からのレーザビームの走査により前記像担持体に主走査方向の静電潜像を形成させる為の、前記第二発光素子のレーザビームの照射タイミングを、前記検出手段によりレーザビームの検出がなされたタイミングと遅延とに基づき調整する調整手段を含み、前記調整手段は、前記第一発光素子からのレーザビームが入射されている前記回転多面鏡の面がどの面かに応じて、前記遅延を発生させる為の補正情報を選択し、該選択された補正情報に基づき、前記回転の方向とは逆の方向にｎ面飛んだ面に対しての前記第二発光素子のレーザビームの照射タイミングを調整することを特徴とする。